(57)【要約】【課題】非トランスペアレントモードでのマルチフレーム方式を識別する。【解決手段】対向装置との間で通信するデータ通信装置に、非トランスペアレントモード通信で用いられる複数のマルチフレーム方式にそれぞれ対応すると共に、受信信号から、それぞれ対応するマルチフレーム方式に対して同期判定及びCRC（Cyclic Redundancy Check：巡回冗長検査）判定をそれぞれ実施する複数の受信部と、複数の受信部で行なわれた同期判定及びCRC判定の結果に基づき、受信信号のマルチフレーム方式を自動的に識別する自動識別部とを設けた。【選択図】図１
2011040819.tif 000002
【特許請求の範囲】
【請求項１】
対向装置との間で、非トランスペアレントモード通信で用いられる複数のマルチフレーム方式にそれぞれ対応すると共に、受信信号から、それぞれ対応するマルチフレーム方式に対して同期判定及びCRC（Cyclic Redundancy Check：巡回冗長検査）判定をそれぞれ実施する複数の受信部と、
前記複数の受信部で行なわれた同期判定及びCRC判定の結果に基づき、前記受信信号のマルチフレーム方式を自動的に識別する自動識別部と
を備えることを特徴とするデータ通信装置。
【請求項２】
請求項１記載のデータ通信装置であって、
前記自動識別部での識別結果に基づき、マルチフレーム方式に一致する前記受信部からの信号を選択する受信系選択部と、
前記対向装置に送信する送信信号のマルチフレーム方式を、前記自動識別部での識別結果に基づき、自動的に選択する送信系選択部と
を備えることを特徴とするデータ通信装置。
【請求項３】
請求項１又は２に記載のデータ通信装置であって、
前記自動識別部に対して、識別処理を開始するタイミングの信号を送信する受信信号断解除検出部を更に有する
ことを特徴とするデータ通信装置。
【請求項４】
請求項１ないし３の何れかに記載のデータ通信装置であって、
前記自動識別部は、前記複数の受信部から送られてくる同期判定及びCRC判定のそれぞれに対して、誤判定防止部を有する
ことを特徴とするデータ通信装置。
【請求項５】
請求項１ないし４の何れかに記載のデータ通信装置であって、
前記自動識別部の識別したマルチフレーム方式を認知可能に出力する識別結果出力部を
更に備えることを特徴とするデータ通信装置。
【請求項６】
非トランスペアレントモード１．５Ｍｂｐｓフレーム同期伝送方式の規格である新２４ＭＦに対応すると共に、対向装置からの受信信号に対しての同期判定信号及びCRC判定信号を出力する新２４ＭＦ受信回路と、
旧２４ＭＦに対応すると共に、対向装置からの受信信号に対しての同期判定信号及びCRC判定信号を出力する旧２４ＭＦ受信回路と、
１２ＭＦに対応すると共に、対向装置からの受信信号に対しての同期判定信号を出力する１２ＭＦ受信回路と、
前記新２４ＭＦ受信回路、前記旧２４ＭＦ受信回路および前記１２ＭＦ受信回路から出力される全ての判定信号が入力され、夫々の受信回路から出力される判定結果のそれぞれに対して、誤判定防止手段を講じた後、判定結果の整合性に基づき、受信信号のマルチフレーム方式の識別結果を出力するデコード回路と、
前記デコード回路からの出力に基づき、マルチフレーム方式に一致する前記受信部からの信号を選択する受信系選択部と、
前記対向装置に送信する送信信号のマルチフレーム方式を、前記デコード回路からの出力に基づき、自動的に選択する送信系選択部と、
前記デコード回路からの出力に基づき、識別したマルチフレーム方式を管理者に認知可能に出力する識別結果表示回路と
を備えることを特徴とするデータ通信装置。
【請求項７】
請求項６記載のデータ通信装置であって、
前記デコード回路に対して、識別処理を開始するタイミングの信号を送信する受信信号断検出回路及び／又は判定開始スイッチを更に有する
ことを特徴とするデータ通信装置。
【請求項８】
対向装置との間で、非トランスペアレントモード通信で用いられる複数のマルチフレーム方式にそれぞれ対応すると共に、受信信号から、それぞれ対応するマルチフレーム方式に対して同期判定及びCRC判定をそれぞれ実施する複数の受信部と、設定入力に応じてマルチフレーム方式に一致する前記受信部からの信号を選択する受信系選択部と、前記対向装置に送信する送信信号のマルチフレーム方式を、設定入力に応じて自動的に選択する送信系選択部とを備えたデータ通信装置に接続され、
前記複数の受信部から、同期判定及びCRC判定をそれぞれ取得し、取得した各判定に対して、所定の判定確認処理を実施する複数の誤判定防止部と、
前記複数の誤判定防止部の出力結果に基づき、前記受信信号のマルチフレーム方式を自動的に識別する自動識別部と
を備えることを特徴とする受信信号のマルチフレーム方式を識別するマルチフレーム方式自動識別回路。
【請求項９】
請求項８に記載のマルチフレーム方式自動識別回路であって、
前記自動識別部に対して、識別処理を開始するタイミングの信号を送信する受信信号断解除検出部を更に含む
ことを特徴とするマルチフレーム方式自動識別回路。
【請求項１０】
請求項８又は９に記載のマルチフレーム方式自動識別回路であって、
前記自動識別部の識別したマルチフレーム方式を認知可能に出力する識別結果出力部を含む
ことを特徴とするマルチフレーム方式自動識別回路。
【請求項１１】
新２４ＭＦに対応すると共に対向装置からの受信信号に対しての同期判定信号及びCRC判定信号を出力する新２４ＭＦ受信回路と、旧２４ＭＦに対応すると共に対向装置からの受信信号に対しての同期判定信号及びCRC判定信号を出力する旧２４ＭＦ受信回路と、１２ＭＦに対応すると共に対向装置からの受信信号に対しての同期判定信号を出力する１２ＭＦ受信回路と、送受信するマルチフレーム方式の設定入力に基づき、マルチフレーム方式に一致する前記受信回路および送信回路を選択する選択部とを備えたデータ通信装置に取り付けられ、
受信信号のマルチフレーム方式の識別判定タイミングの信号を送信する受信信号断検出回路及び／又は判定開始スイッチと、
前記新２４ＭＦ受信回路、前記旧２４ＭＦ受信回路および前記１２ＭＦ受信回路から全ての判定信号を取得すると共に、取得した各鑑定信号のそれぞれに対して誤判定防止手段を講じた後、判定結果の整合性に基づき、受信信号のマルチフレーム方式の識別結果を前記選択部にマルチフレーム方式の設定入力として出力するデコード回路と、
前記デコード回路からの出力に基づき、識別したマルチフレーム方式を管理者に認知可能に出力する識別結果表示回路と
を有することを特徴とするマルチフレーム方式自動識別回路。
【請求項１２】
請求項１１記載のマルチフレーム方式自動識別回路であって、
前記受信信号断検出回路及び／又は前記判定開始スイッチと、前記デコード回路と、前記識別結果表示回路とを、
非トランスペアレントモード通信時のマルチフレーム方式の設定入力に用いられる設定スイッチと置換可能にモジュール化したことを特徴とするマルチフレーム方式自動識別回路。
【請求項１３】
対向装置から送られてきた受信信号を、非トランスペアレントモード通信で用いられるマルチフレーム方式にそれぞれ対応させて同期判定を実施し、
非トランスペアレントモード通信で用いられるマルチフレーム方式で、CRCチェックを実施可能な方式に対して、前記同期判定結果と受信信号とを用いて、CRC判定を実施し、
前記判定した同期判定及びCRC判定の結果に基づき、前記受信信号のマルチフレーム方式を択一的に識別し、
前記識別したマルチフレーム方式に基づき、前記受信信号と前記対向装置に対して送信するマルチフレーム方式を選択する
ことを特徴とするデータ通信装置のマルチフレーム方式自動選択方法。
【請求項１４】
請求項１３記載のマルチフレーム方式自動選択方法であって、
前記識別処理を開始するタイミングの信号を、受信信号断を検出して用いる
ことを特徴とするマルチフレーム方式自動選択方法。
【請求項１５】
非トランスペアレントモード１．５Ｍｂｐｓフレーム同期伝送方式の規格で送信されてきた受信信号に対して、
２４ＭＦのマルチフレーム構造に対応した同期判定を実施すると共に、同期判定結果と前記受信信号とを用いて、新２４ＭＦに対応したCRC判定を実施し、
合わせて、２４ＭＦのマルチフレーム構造に対応した同期判定を実施すると共に、同期判定結果と前記受信信号とを用いて、旧２４ＭＦに対応したCRC判定を実施し、
合わせて、１２ＭＦのマルチフレーム構造に対応した同期判定を実施し、
前記全ての判定結果に対して、それぞれ誤判定を防止する対策を講じた後、判定結果の整合性に基づき、受信信号のマルチフレーム方式を、新２４ＭＦ、旧２４ＭＦ及び１２ＭＦから択一的に識別決定し、
前記識別したマルチフレーム方式に準じて、前記受信信号を処理すると共に、前記対向装置に送信する送信信号のマルチフレーム方式を選択する
ことを特徴とするマルチフレーム方式自動選択方法。
【請求項１６】
請求項１５記載のマルチフレーム方式自動選択方法であって、
受信信号のマルチフレーム方式を識別するタイミングは、受信信号断を検出時したときであることを特徴とするマルチフレーム方式自動選択方法。
【請求項１７】
非トランスペアレントモードで動作するデータ通信装置で、使用する１．５Ｍｂｐｓフレーム同期伝送方式の受信信号を、２４ＭＦのフレーム構造に基づき同期判定して２４ＭＦフレームパルスを出力し、
２４ＭＦフレームパルスと前記受信信号とから、新２４ＭＦのＣＲＣ算出基準に基づき、前記受信信号のＣＲＣをチェック判定すると共に、
２４ＭＦフレームパルスと前記受信信号とから、旧２４ＭＦのＣＲＣ算出基準に基づき、前記受信信号のＣＲＣをチェック判定し、
それぞれのＣＲＣの判定結果に対して誤判定を防止する対策を講じたのち、前記受信信号が新２４ＭＦ、旧２４ＭＦの何れであるか判定する
ことを特徴とする新旧２４ＭＦの識別方法。
【発明の詳細な説明】
【技術分野】
【０００１】
本発明は、非トランスペアレントモードのフレーム同期伝送を行なう装置に関する。
【背景技術】
【０００２】
１．５Ｍｂｐｓフレーム同期伝送方式を行う装置には、非トランスペアレントモードを用いるデータ通信装置と、トランスペアレントモードを用いるデータ通信装置がある。
【０００３】
１．５Ｍｂｐｓフレーム同期伝送方式で用いられるマルチフレーム方式には、１２ＭＦ（マルチフレーム）、新２４ＭＦおよび旧２４ＭＦがある。データ通信装置は、対向するデータ通信装置との間で、上記何れかのマルチフレーム方式を用いて、フレーム同期通信を行なう。
【０００４】
関連する技術は、例えば、特許文献１に記載されている。特許文献１には、トランスペアレントモードで動作するデータ通信装置であって、１２ＭＦおよび２４ＭＦを識別する技術が開示されている。  
特許文献１では、トランスペアレントモードで動作する以上、本来識別する必要がないマルチフレーム方式を識別することで、警報検出や故障箇所の特定を行なっている。
【０００５】
非トランスペアレントモードを用いるデータ通信装置では、あらかじめ使用するマルチフレーム方式を人為的に設定入力する。当該設定に基づき、データ通信装置内の該当するマルチフレーム方式用の受信回路および送信回路を選択して、流入してくる受信信号を受け取る。図１４に一例を示す。  
図１４に図示したデータ通信装置では、予め使用するマルチフレーム方式を設定スイッチ１４を用いて手動で設定入力する。スイッチ入力１０３はセレクタ１１及びセレクタ１２に入力され、適切な受信回路及び送信回路を選択する。
【先行技術文献】
【特許文献】
【０００６】
【特許文献１】特開２００１−３０８８１４号公報
【発明の概要】
【発明が解決しようとする課題】
【０００７】
しかしながら、非トランスペアレントモードを用いるデータ通信装置では、次のような問題点がある。
【０００８】
第１の問題点は、データ通信を開始する前に、あらかじめ適切なマルチフレーム方式を選択し、設定スイッチを手動で設定する必要がある。
【０００９】
第２の問題点は、接続された装置（対向装置）が同じ通信速度（例えば1544kbit/s）のデータ通信を行う装置であっても、そのマルチフレーム方式がどのような方式であるかをあらかじめ人間が確認する必要がある。
【００１０】
第３の問題点は、人為的設定の為、設定間違いが発生することである。
【００１１】
上記の問題点については、トランスペアレントモードを用いる解決策もあるものの、特許文献１に記載されているように、トランスペアレントモード独自の課題を発生させる。
【００１２】
本発明の目的は、非トランスペアレントモードにおいて、自動的に接続されたデータ通信装置のマルチフレーム方式を自動で選択するデータ通信装置、マルチフレーム方式自動識別回路およびマルチフレーム方式自動選択方法を提供することにある。
【課題を解決するための手段】
【００１３】
本発明に係るデータ通信装置は、対向装置との間で行なわれる非トランスペアレントモード通信で用いられる複数のマルチフレーム方式にそれぞれ対応すると共に、受信信号から、それぞれ対応するマルチフレーム方式に対して同期判定及びCRC（Cyclic Redundancy Check：巡回冗長検査）判定をそれぞれ実施する複数の受信部と、前記複数の受信部で行なわれた同期判定及びCRC判定の結果に基づき、前記受信信号のマルチフレーム方式を自動的に識別する自動識別部とを備えることを特徴とする。
【００１４】
また、本発明に係る受信信号のマルチフレーム方式を識別するマルチフレーム方式自動識別回路は、対向装置との間で行なわれる非トランスペアレントモード通信で用いられる複数のマルチフレーム方式にそれぞれ対応すると共に、受信信号から、それぞれ対応するマルチフレーム方式に対して同期判定及びCRC判定をそれぞれ実施する複数の受信部と、設定入力に応じてマルチフレーム方式に一致する前記受信部からの信号を選択する受信系選択部と、前記対向装置に送信する送信信号のマルチフレーム方式を、設定入力に応じて自動的に選択する送信系選択部とを備えたデータ通信装置に接続され、前記複数の受信部から、同期判定及びCRC判定をそれぞれ取得し、取得した各判定に対して、所定の判定確認処理を実施する複数の誤判定防止部と、前記複数の誤判定防止部の出力結果に基づき、前記受信信号のマルチフレーム方式を自動的に識別する自動識別部とを備えることを特徴とする。
【００１５】
また、本発明に係るデータ通信装置のマルチフレーム方式自動選択方法は、  対向装置から送られてきた受信信号を、非トランスペアレントモード通信で用いられるマルチフレーム方式にそれぞれ対応させて同期判定を実施し、非トランスペアレントモード通信で用いられるマルチフレーム方式で、CRCチェックを実施可能な方式に対して、前記同期判定結果と受信信号とを用いて、CRC判定を実施し、前記判定した同期判定及びCRC判定の結果に基づき、前記受信信号のマルチフレーム方式を択一的に識別し、前記識別したマルチフレーム方式に基づき、前記受信信号と前記対向装置に対して送信するマルチフレーム方式を選択することを特徴とする。
【発明の効果】
【００１６】
本発明によれば、非トランスペアレントモードにおいて、自動的に接続されたデータ通信装置のマルチフレーム方式を自動で選択するデータ通信装置およびマルチフレーム方式自動識別回路を提供できる。
【００１７】
同じく、本発明によれば、非トランスペアレントモードにおいて、自動的に接続されたデータ通信装置のマルチフレーム方式を自動で識別選択するマルチフレーム方式自動選択方法を提供できる。
【図面の簡単な説明】
【００１８】
【図１】実施の一形態のデータ通信装置を示すブロック図である。
【図２】新２４ＭＦ用受信回路２０−１を示すブロック図である。
【図３】旧２４ＭＦ用受信回路２０−２を示すブロック図である。
【図４】１２ＭＦ用受信回路２０−３を示すブロック図である。
【図５】自動識別回路２２の構成を示すブロック図である。
【図６】２４マルチフレーム方式におけるマルチフレーム構成を示している図である。
【図７】１２マルチフレーム方式におけるマルチフレーム構成を示している図である。
【図８】２４マルチフレーム方式における各フレームの先頭ビット（Ｆビット）割当を示す説明図である。
【図９】１２マルチフレーム方式における各フレームの先頭ビット（Ｆビット）割当を示す説明図である。
【図１０】新２４マルチフレーム方式に合致した標準的なＣＲＣ回路を示す回路図である。
【図１１】旧２４マルチフレーム方式に合致した標準的なＣＲＣ回路を示す回路図である。
【図１２】デコード回路による判定結果を示す説明図である。
【図１３】別の実施の一形態のデータ通信装置を示すブロック図である。
【図１４】設定スイッチを用いるデータ通信装置を示すブロック図である。
【発明を実施するための形態】
【００１９】
本発明の実施形態を図１ないし図１３に基づいて説明する。尚、本発明と関係が薄い回路や処理部については、記載を省略する。  
図１は、実施の一形態のデータ通信装置を示すブロック図である。  
図１を参照すると、非トランスペアレントモードで送られてきたマルチフレーム受信信号２００が、新２４ＭＦ用受信回路２０−１、旧２４ＭＦ用受信回路２０−２及び１２ＭＦ用受信回路２０−３に入力されている。
【００２０】
新２４ＭＦ用受信回路２０−１、旧２４ＭＦ用受信回路２０−２及び１２ＭＦ用受信回路２０−３からの出力信号２０１−１、２０１−２及び２０１−３は、セレクタ２１に送信されている。尚、受信回路については、後に詳説する。  
また、新２４ＭＦ用受信回路２０−１、旧２４ＭＦ用受信回路２０−２及び１２ＭＦ用受信回路２０−３からは、それぞれマルチフレーム判定結果信号２０３−１、２０３−２及び２０３−３が出力され、自動識別回路２２に送信されている。
【００２１】
自動識別回路２２は、入力されたマルチフレーム信号を自動識別し、切替信号（送受信回路選択信号）２０４を出力する。切替信号２０４は、セレクタ２１に入力され、セレクタ２１を切り替えて、受信信号２０２を出力させる。
【００２２】
送信信号２０７は、新２４ＭＦ用送信回路２４−１、旧２４ＭＦ用送信回路２４−２及び１２ＭＦ用送信回路２４−３に入力されている。新２４ＭＦ用送信回路２４−１、旧２４ＭＦ用送信回路２４−２及び１２ＭＦ用送信回路２４−３から出力されるマルチフレーム信号２０６−１、２０６−２及び２０６−３はセレクタ２３に入力される。
【００２３】
セレクタ２３は、自動識別回路２２から出力されている切替信号２０４により適切な信号を選択し、マルチフレーム送信信号２０５として出力する。
【００２４】
自動識別回路２２から出力されている送受信回路選択信号２０４は識別結果表示回路２６に入力され識別したマルチフレーム方式を表示する。また、識別できなかった場合は、アラートを表示する。尚、識別結果は、管理者等に認知可能であれば何れでもよい。
【００２５】
判定開始スイッチ２５は、管理者又は管理システムからの判定開始指示を受け、自動識別回路２２に対して、判定の開始タイミングを通知する。
【００２６】
次に、各受信回路の詳細についてそれぞれ、図２、図３および図４を用いて説明する。
【００２７】
図２は、新２４ＭＦ用受信回路２０−１を示すブロック図である。  
図３は、旧２４ＭＦ用受信回路２０−２を示すブロック図である。  
図４は、１２ＭＦ用受信回路２０−３を示すブロック図である。  
図２を参照すると、マルチフレーム受信信号２００が２４ＭＦ用フレーム同期回路２７及び新２４ＭＦ用ＣＲＣチェック回路２８に入力されている。  
２４ＭＦ用フレーム同期回路２７は、マルチフレーム同期を確立し、その結果として、２４ＭＦフレーム同期判定信号３０１−１及び２４ＭＦフレームパルス３０１−２を出力する。尚、２４ＭＦフレームパルス３０１−２は、マルチフレーム番号１（図８参照）の開始位置を識別可能とする信号である。また、２４ＭＦのフレーム同期は、後述するようにＦビットを用いてフレーム同期を行なえれば良く、どのように行なってよい。フレーム同期方式を例示すれば、１２ビット同時照合方式や、６ビット同時照合方式、１ビット即時シフト方式が挙げられる。
【００２８】
新２４ＭＦ用ＣＲＣチェック回路２８は、２４ＭＦフレームパルス３０１−２を用いて、マルチフレーム受信信号２００のＣＲＣ判定を行い、その結果を新２４ＭＦＣＲＣチェック判定信号３０２として出力する。当該処理動作を詳説すれば、新２４ＭＦ用ＣＲＣチェック回路２８では、２４ＭＦフレームパルス３０１−２の入力されたタイミングに基づき、マルチフレーム受信信号２００中に含まれる、Ｆビット中のＣＲＣ演算結果である「ｅ１，ｅ２，ｅ３，ｅ４，ｅ５，ｅ６」を抽出する。その後、新２４ＭＦ用ＣＲＣ判定回路２８では、内蔵されている新２４ＭＦ用ＣＲＣ演算回路を使用してＣＲＣ演算を実施し、ＣＲＣ演算結果である「Ｃ１，Ｃ２，Ｃ３，Ｃ４，Ｃ５，Ｃ６」を、先に抽出したＣＲＣ演算結果と比較し、その結果を、新２４ＭＦＣＲＣチェック判定信号３０２として出力する。
【００２９】
２４ＭＦフレーム同期判定信号３０１−１及び新２４ＭＦＣＲＣチェック判定信号３０２は、図１のマルチフレーム判定結果信号２０３−１として出力される。また、フレームパルス３０１−２、新２４ＭＦＣＲＣチェック判定信号３０２及び受信信号２００は、図１の出力信号２０１−１として出力される。
【００３０】
同様に、図３を参照すると、マルチフレーム受信信号２００が２４ＭＦ用フレーム同期回路２７及び旧２４ＭＦ用ＣＲＣチェック回路２９に入力されている。  
２４ＭＦ用フレーム同期回路２７は、マルチフレーム同期を確立し、その結果として、２４ＭＦフレーム同期判定信号３０４−１及びフレームパルス３０４−２を出力する。尚、２４ＭＦフレームパルス３０４−２は、マルチフレーム番号１の開始位置を識別可能とする信号である。  
旧２４ＭＦ用ＣＲＣチェック回路２９は、２４ＭＦフレームパルス３０４−２を用いて、マルチフレーム受信信号２００のＣＲＣ判定を行い、その結果を旧２４ＭＦＣＲＣチェック判定信号３０５として出力する。当該処理動作を詳説すれば、旧２４ＭＦ用ＣＲＣチェック回路２９では、２４ＭＦフレームパルス３０４−２の入力されたタイミングに基づき、マルチフレーム受信信号２００中に含まれる、Ｆビット中のＣＲＣ演算結果を抽出する。その後、旧２４ＭＦ用ＣＲＣ判定回路２９では、内蔵されている旧２４ＭＦ用ＣＲＣ演算回路を使用してＣＲＣ演算を実施し、ＣＲＣ演算結果を、先に抽出したＣＲＣ演算結果と比較し、その結果を、旧２４ＭＦＣＲＣチェック判定信号３０５として出力する。
【００３１】
２４ＭＦフレーム同期判定信号３０４−１及び旧２４ＭＦＣＲＣチェック判定信号３０５と、フレームパルス３０４−２、旧２４ＭＦＣＲＣチェック判定信号３０５及び受信信号２００は、それぞれ図１のマルチフレーム判定結果信号２０３−２と、出力信号２０１−２として出力される。
【００３２】
同様に、図４を参照すると、マルチフレーム受信信号２００が１２ＭＦ用フレーム同期回路３０に入力されている。１２ＭＦ用フレーム同期回路３０は、マルチフレーム同期を確立し、その結果として、１２ＭＦフレーム同期判定信号３０６−１及びフレームパルス３０６−２を出力する。尚、１２ＭＦフレームパルス３０６−２は、マルチフレーム番号１（図９参照）の開始位置を識別可能とする信号である。また、１２ＭＦのフレーム同期方式を例示すれば、１１ビット同時照合方式および１ビット即時シフト方式が挙げられる。  
１２ＭＦフレーム同期判定信号３０６−１と、フレームパルス３０６−２及び受信信号２００は、それぞれ図１のマルチフレーム判定結果信号２０３−３と、出力信号２０１−３として出力される。
【００３３】
次に、図１の自動識別回路２２の詳細について、図５を用いて説明する。  
図５は、自動識別回路２２の構成を示すブロック図である。  
自動識別回路２２には、各判定信号（３０１−１、３０２、３０４−１、３０５および３０６−１）が、それぞれ判定信号４００−１〜５として入力され、それぞれ誤判定防止回路３１−１〜５に入力されている。誤判定防止回路３１−１〜５は、所定の誤判定を防止する判定確認処理を実施して、誤判定防止手段として動作する。
【００３４】
誤判定防止回路３１−１〜５より出力された信号４０１−１〜５は、デコード回路３２に入力されている。判定開始信号２０８は、デコード回路３２に入力され、この信号によりデコード結果を出力する。デコード結果は切替信号（送受信回路選択信号）２０４として出力する。  
デコード回路３２は、判定開始信号２０８と信号４０１−１〜５の信号を比較演算し、信号４０１−１および信号４０１−２の検出によって、新２４ＭＦ方式を選択する。同様に、信号４０１−３および信号４０１−４の検出によって、旧２４ＭＦ方式を選択する。同様に、信号４０１−５の検出によって、１２ＭＦ方式を選択する。即ち、判定した同期判定及びCRC判定の結果に基づき、受信信号のマルチフレーム方式を択一的に識別選択する。尚、上記説明は、論理回路を用いて構築した場合の説明であるが、マイコンを用いて、入力された信号に基づき、出力するマルチフレーム方式を選択する選択部を設けても良い。
【００３５】
次に図１のデータ通信装置の動作を、図を参照して説明する。  
マルチフレーム受信信号２００は、一般的に図６、又は図７に示されるようなマルチフレーム構成を有した信号である。  
図６は、新２４マルチフレーム方式及び旧２４マルチフレーム方式におけるマルチフレーム構成を示している。即ち、１マルチフレームが２４のフレームで構成され、さらに１フレームは１９３ビットで構成されている。各フレームの先頭ビットはＦビット（１bit）であり、フレームパターンまたはＣＲＣ演算結果として使用される。  
図８を参照すると、Ｆビットの割り当て状態が示されている。本実施の形態では、フレームパターン（ＦＡＳ）及びＣＲＣ演算結果（ＣＲＣ）を使用する。
【００３６】
図７は、１２マルチフレーム方式におけるマルチフレーム構成を示している。つまり１マルチフレームが１２のフレームで構成され、さらに１フレームは１９３ビットで構成されている。１２マルチフレーム方式における各フレームの先頭ビットはＦビットであり、「10001101110S」なるフレームパターンを形成する（図９参照）。ここで、「S」は対局警報を表す。尚、本実施の形態では使用しないため、説明を省略する。
【００３７】
図１のデータ通信装置は、マルチフレーム受信信号２００が図２の２４ＭＦ用マルチフレーム同期回路２７に入力され、フレームパターン検出動作を行う。フレームパターンが検出できたとき２４ＭＦ用マルチフレーム同期回路２７は、２４ＭＦフレーム同期判定信号３０１−１として「１」を出力する。検出できないときは「０」を出力する。さらにマルチフレーム及びフレームの先頭を示すフレームパルス３０１−２を出力し、新２４ＭＦ用ＣＲＣ判定回路２８に入力する。  
新２４ＭＦ用ＣＲＣ判定回路２８では、図１０に示すＣＲＣ演算回路を使用してＣＲＣ演算を行い、その結果として出力される「Ｃ１，Ｃ２，Ｃ３，Ｃ４，Ｃ５，Ｃ６」なるビット列と、対向装置から送られてきたＦビット中のＣＲＣ演算結果である「ｅ１，ｅ２，ｅ３，ｅ４，ｅ５，ｅ６」なるビット列（図８参照）と比較し、相違ないことを確認できた場合は、新２４ＭＦＣＲＣチェック判定信号３０２として「１」を出力する。相違した場合は、「０」を出力する。
【００３８】
同様に、データ通信装置は、マルチフレーム受信信号２００が図３の２４ＭＦ用マルチフレーム同期回路２７に入力され、フレームパターン検出動作を行う。フレームパターンが検出できたとき２４ＭＦ用マルチフレーム同期回路２７は、２４ＭＦフレーム同期判定信号３０４−１として「１」を出力する。検出できないときは「０」を出力する。さらにマルチフレーム及びフレームの先頭を示すフレームパルス３０４−２を出力し、旧２４ＭＦ用ＣＲＣ判定回路２９に入力する。  
旧２４ＭＦ用ＣＲＣ判定回路２９では、図１１に示すＣＲＣ演算回路を使用してＣＲＣ演算を行い、その結果として出力される「Ｃ１，Ｃ２，Ｃ３，Ｃ４，Ｃ５，Ｃ６」なるビット列と、Ｆビット中のＣＲＣ演算結果である「ｅ１，ｅ２，ｅ３，ｅ４，ｅ５，ｅ６」なるビット列と比較し、相違ないことを確認できた場合は、旧２４ＭＦＣＲＣチェック判定信号３０５として「１」を出力する。相違した場合は、「０」を出力する。尚、図１０および図１１に示すＣＲＣ回路は、それぞれのマルチフレーム方式に合致した標準的なＣＲＣ回路である。
【００３９】
さらに、データ通信装置は、マルチフレーム受信信号２００が図４の１２ＭＦ用マルチフレーム同期回路３０に入力され、フレームパターン検出動作を行う。フレームパターンが検出できたとき１２ＭＦ用マルチフレーム同期回路３０は、１２ＭＦフレーム同期判定信号３０６−１として「１」を出力する。検出できないときは「０」を出力する。
【００４０】
各受信回路から出力された各判定信号は、自動識別回路２２（図５参照）に入力され、それぞれ誤判定防止回路３１−１〜３１−５に入力される。誤判定防止回路３１−１〜３１−５は、誤った判定を行わないように、十分な時間（回数）、各判定信号を監視し、連続した「１」または「０」が入力されたときにそれぞれ、「１」または「０」をデコード回路３２に出力する。
【００４１】
デコード回路３２では、判定開始スイッチ２５により入力された判定開始信号２０８タイミングに基づき、入力される信号４０１−１〜５を論理演算し、送受信回路選択信号を確定して、切替信号２０４として出力する。切替信号２０４は、次回判定開始信号が入力されるまで同じ信号を出力し続ける。  
マイコンを用いてデコード回路３２を構築した場合は、判定開始スイッチ２５により入力された判定開始信号２０８を、予め記録されている状態表（図１２参照）と比較してデコード動作を開始し、送受信回路選択信号を確定した後、切替信号２０４として出力する。切替信号２０４は、次回判定開始信号が入力されるまで同じ信号を出力し続ける。
【００４２】
その後、切替信号２０４がセレクタ２１に入力され、適切な受信回路が選択される。同様に切替信号２０４がセレクタ２３に入力され、適切な送信回路が選択される。
【００４３】
自動識別回路２２から出力されている切替信号２０４は、識別結果表示回路２６に入力され識別したマルチフレーム方式を表示する。また、識別できなかった場合は、アラームとしてアラートを表示する。尚、判定開始スイッチ２５、自動識別回路２２および識別結果表示回路２６は、モジュール化して、既存のマルチフレーム方式の設定入力に用いる設定スイッチと置換できる形態としてもよい。
【００４４】
以上説明したように、本実施の形態において、受信したマルチフレーム信号からそのマルチフレーム方式を自動識別しているので、手動で各マルチフレーム方式に応じた受信回路及び送信回路を選択する必要が無くデータ通信が可能となる。換言すれば、非トランスペアレントモードにおいて、接続されたデータ通信装置のマルチフレーム方式を自動的に識別し、データ通信を開始できる。
【００４５】
次に、本発明の他の実施の形態について図面を参照して詳細に説明する。  
図１３は、別の実施の一形態のデータ通信装置を示すブロック図である。  
図１３を参照すると、図１の判定開始スイッチ２５の替わりに受信信号断検出信号５０８を識別する自動判定開始回路５５が設けられている。受信信号断検出信号５０８は、受信信号断を検出したときは「１」、受信信号断が解除されたときは「０」となる信号である。自動判定開始回路５５は、受信信号断検出信号５０８の「１」から「０」への変化点、すなわち受信信号が入力され始めた時点を自動的に検出し、自動識別回路５２に判定開始信号５０９を出力する。
【００４６】
このように、受信信号の有無を監視して、判定開始信号５０９を自動的に発生することにより、手動でのスイッチ操作による判定タイミングの決定を要することなく、自動的にマルチフレーム方式の識別を開始して、データ通信を開始できる。
【００４７】
以上説明したように、本発明によれば、複数のマルチフレーム方式に対応し、非トランスペアレントモードにおいて、自動的に接続されたマルチフレーム方式を識別するデータ通信装置を提供できる。
【００４８】
同じく、本発明によれば、非トランスペアレントモードにおける複数のマルチフレーム方式を識別し、自動的に接続されたマルチフレーム方式を識別するマルチフレーム方式自動識別回路を提供できる。
【００４９】
尚、本発明の具体的な構成は前述の実施の形態に限られるものではなく、この発明の要旨を逸脱しない範囲の変更があってもこの発明に含まれる。
【産業上の利用可能性】
【００５０】
本発明は、非トランスペアレントモードでの1544kbit/sのマルチフレーム方式によるデータ通信を行う装置に適用できる。
【符号の説明】
【００５１】
２０−１  新２４ＭＦ用受信回路（受信部）
２０−２  旧２４ＭＦ用受信回路（受信部）
２０−３  １２ＭＦ用受信回路（受信部）
２１      セレクタ（受信系選択部）
２２      自動識別回路（自動識別部）
２３      セレクタ（送信系選択部）
２４−１  新２４ＭＦ用送信回路
２４−２  旧２４ＭＦ用送信回路
２４−３  １２ＭＦ用送信回路
２５      判定開始スイッチ
２６      識別結果表示回路（識別結果出力部）
２７      ２４ＭＦ用フレーム同期回路
２８      新２４ＭＦ用ＣＲＣチェック回路
２９      旧２４ＭＦ用ＣＲＣチェック回路
３０      １２ＭＦ用フレーム同期回路
３１−１〜５  誤判定防止回路（誤判定防止部：誤判定防止手段）
３２      デコード回路
５５      自動判定開始回路（受信信号断解除検出部）
【図１】
2011040819.tif 000003
【図２】
2011040819.tif 000004
【図３】
2011040819.tif 000005
【図４】
2011040819.tif 000006
【図５】
2011040819.tif 000007
【図６】
2011040819.tif 000008
【図７】
2011040819.tif 000009
【図８】
2011040819.tif 000010
【図９】
2011040819.tif 000011
【図１０】
2011040819.tif 000012
【図１１】
2011040819.tif 000013
【図１２】
2011040819.tif 000014
【図１３】
2011040819.tif 000015
【図１４】
2011040819.tif 000016